(57)【特許請求の範囲】
【請求項１】
集積状態におかれる紙葉類の最前位の紙葉類の表面に当接して該紙葉類の蹴り出しを行う高摩擦部が外周に形成されているとともに外周の一部に径小部が形成されているキッカローラと、このキッカローラにより蹴り出された紙葉類の表面に当接して当該紙葉類の繰り出しを行う高摩擦部が外周の一部に形成されたフィードローラと、このフィードローラに対向して設けられ該フィードローラとの間で繰り出される紙葉類を１枚ずつに分離するゲート部を構成するゲート部材と、前記キッカローラの近傍において最前位の紙葉類に向けて進退自在に設けられ、進出時に前記最前位の紙葉類を押圧して前記キッカローラとの接触を断ち、退去時に前記最前位の紙葉類を前記キッカローラに接触させる押圧部材と、前記最前位の紙葉類に対して前記フィードローラの高摩擦部が接触する繰り出し開始タイミングから少なくとも繰り出された紙葉類の先端が下流の搬送手段に受け渡されるまでの間前記押圧部材を退去させておき、かつ少なくとも繰り出された紙葉類の後端が前記キッカローラを通過してから前記繰り出し開始タイミングまでの期間前記押圧部材を進出させておく進退切換え手段とを備えた紙葉類繰り出し装置であって、前記キッカローラを前記フィードローラの１回転に対し２回転または１．５回転するローラ径に設定し、前記フィードローラの高摩擦部が紙葉類に接する前記繰り出しタイミングにおいて前記キッカローラの径小部と径大部との境界部が前記紙葉類を蹴り出すタイミングに設定したことを特徴とする紙葉類繰り出し装置。
【請求項２】
前記キッカローラの径小部が該ローラの径方向対称位置の２箇所に形成されているとともにそのローラ径がフィードローラに対し３：２とされている請求項１記載の紙葉類繰り出し装置。
【請求項３】
前記キッカローラの径大部と径小部との境界部を周方向に位相をずらせた２組のキッカローラを有している請求項１または２記載の紙葉類繰り出し装置。
【請求項４】
前記押圧部材の前記キッカローラより後方側に該キッカローラの軸線と平行に折れ癖紙葉類対応用部材を有している請求項１〜３のいずれか１項記載の紙葉類繰り出し装置。
【請求項５】
前記集積紙葉類の後端下部に位置し、該集積紙葉類の後端部が前傾状態に載置される傾斜部を有し、この傾斜部の下部に繰り出し不良時の紙葉類の後退を許容する繰り出し不良紙葉類後退用空間部を有している請求項１〜４のいずれか１項記載の紙葉類繰り出し装置。
【発明の詳細な説明】
【０００１】
【発明の属する技術分野】
本発明は、例えば紙幣計数機などの各種紙葉類処理機に用いられる紙葉類繰り出し装置に関する。
【０００２】
【従来の技術】
紙幣計数機等に用いられる紙葉類繰り出し装置は、集積状態にセットされる紙葉類を１枚ずつ繰り出して次工程へ搬出するように構成される。
【０００３】
このような紙葉類繰り出し装置は、一般に集積紙葉類を１枚ずつ蹴り出して搬出するため、外周の一部に高摩擦部が形成されたキッカローラおよびフィードローラを備えている。またフィードローラに対向してゲート部材が設けられ、これらフィードローラとゲート部材との間で１枚の紙葉類を通過させ、２枚目以降の紙葉類の連れ出しを防ぐゲート部が形成されている。
【０００４】
そして、紙葉類繰り出し装置におけるキッカローラはフィードローラの後部に位置するように配置されるが、対象となる紙葉類が例えば流通紙幣のように腰が弱くなっている紙葉類であると、キッカローラはフィードローラによる最前位の紙葉類を蹴り出す際にキッカローラより前部側が座屈を起こし、ゲート部へスムーズに送り込まれなくなる。そこで、本出願人が出願した特開２０００−３３９５１０号公報に示す紙葉類繰出し装置のように、キッカローラの径を小さくしてフィードローラに接近させ、外周のすべてを高摩擦部で構成するとともに、キッカローラの近傍に進退可能な押圧部材を設け、押圧部材の進退によって紙葉類とキッカローラが必要なときだけ接触するようにしたものを開発した。これにより、キッカローラが作用する位置がフィードローラに接近し、前述した腰が弱くなっている紙葉類等の繰り出しにおいても座屈等を起こすことなく繰り出せるようになった。
【０００５】
【発明が解決しようとする課題】
しかしながら上記の装置においては、押圧部材の退避によってキッカローラが作用するようになっており、押圧部材によって押しのけられていた紙葉類が押圧部材の退避によってキッカローラ側に移動して接触するようになっているため、キッカローラと紙葉類が接触した瞬間には紙葉類とキッカローラが所定圧で接触しておらず、キック力が充分に与えられないという問題がある。そのため、所定の繰り出しタイミングに紙葉類を強く蹴り出すことができず、繰り出しタイミングが遅れたり、キッカローラの一方側だけが遅れて斜行して繰り出されてしまうという問題がある。特に紙葉類が紙幣のように金種によって印刷パターンが異なり、紙葉類間の摩擦力がばらついている場合には、繰り出しタイミングが金種によってばらついてしまうという問題がある。
【０００６】
本発明は、キッカローラを小径とすることができ、フィードローラに対し近接して設けることを可能としながら紙葉類の蹴り出しタイミングを正確に維持し、紙葉類の性状の如何に拘らず確実な繰り出しを可能とすることを課題としてなされたものである。
【０００７】
【課題を解決するための手段】
上記課題を解決する手段として本発明は、集積状態におかれる紙葉類の最前位の紙葉類の表面に当接して該紙葉類の蹴り出しを行う高摩擦部が外周に形成されているとともに外周の一部に径小部が形成されているキッカローラと、このキッカローラにより蹴り出された紙葉類の表面に当接して当該紙葉類の繰り出しを行う高摩擦部が外周の一部に形成されたフィードローラと、このフィードローラに対向して設けられ該フィードローラとの間で繰り出される紙葉類を１枚ずつに分離するゲート部を構成するゲート部材と、前記キッカローラの近傍において最前位の紙葉類に向けて進退自在に設けられ、進出時に前記最前位の紙葉類を押圧して前記キッカローラとの接触を断ち、退去時に前記最前位の紙葉類を前記キッカローラに接触させる押圧部材と、前記最前位の紙葉類に対して前記フィードローラの高摩擦部が接触する繰り出し開始タイミングから少なくとも繰り出された紙葉類の先端が下流の搬送手段に受け渡されるまでの間前記押圧部材を退去させておき、かつ少なくとも繰り出された紙葉類の後端が前記キッカローラを通過してから前記繰り出し開始タイミングまでの間押圧部材を進出させておく進退切換え手段とを備えた紙葉類繰り出し装置であって、前記キッカローラを前記フィードローラの１回転に対し２回転または１．５回転するローラ径に設定し、前記フィードローラの高摩擦部が紙葉類に接する前記繰り出しタイミングにおいて前記キッカローラの径小部と径大部との境界部が前記紙葉類を蹴り出すタイミングに設定したことを特徴とする。
【０００８】
こうしたことにより、キッカローラの径を小さくしてフィードローラに近接配置しても、最前位の紙葉類を確実にグリップして所定のタイミングで繰り出すことができ、特にキッカローラとフィードローラとの間の距離を可及的短くできるので、紙葉類が流通紙幣のように腰が弱いものであっても蹴り出し時に座屈を生じることがなく、確実な繰り出しを行わせることができる。
【０００９】
請求項２のように、キッカローラの径小部を該ローラの径方向対称位置の２箇所に設け、そのローラ径をフィードローラに対し２：３とすれば、キッカローラの１回転ごとにキッカローラの径大部と径小部との境界であるキック力の強い箇所を交互に作用させることができる。
【００１０】
請求項３のように、キッカローラの径大部と径小部との境界部を周方向に位相をずらせて２組のキッカローラを設けるようにすれば、先行のキッカローラによる蹴り出しが空振りに終ってもその直後に後行のキッカローラの境界部により蹴り出されるので蹴り出しミスの発生を皆無とすることができ、紙葉類の繰り出しを一層確実なものとすることができる。
【００１１】
請求項４のように、押圧部材のキッカローラより後方側に折れ癖紙葉類対応用部材を設ければ、紙葉類に強い折れ目が存在しても、その折れ目部分がキッカローラに接触して繰り出されることを確実に阻止し、重複乃至連鎖繰り出しを未然に防止することができる。
【００１２】
さらに請求項５のように、紙葉類集積部内の集積紙葉類の後端部が載る傾斜部を設けることにより、上下方向に集積された紙葉類を下から繰り出す場合に、集積紙葉類の荷重をその傾斜部で受け、繰り出し中の紙葉類の荷重を軽減することができ、多量の紙葉類が上に集積されていてもスムーズに繰り出すことができる。また、傾斜部の下部に、繰り出し不良発生時にその繰り出し不良紙葉類を一且集積部内へ戻す際にその紙葉類が進入し得る空間部を形成すれば、繰り出し不良の紙葉類を集積紙葉類の最前位に戻すことによるジャムの発生がなく、スムーズに戻すことができ、集積部内でのトラブルの発生を防止することができる。
【００１３】
【発明の実施の形態】
以下、本発明を図面に示す実施の形態を参照して説明する。
【００１４】
図示の実施形態では、紙葉類Ｐを上下方向に集積し、その最下位の紙葉類から１枚ずつ繰り出す構成とした場合を示しており、紙葉類集積部１に装填されて集積された紙葉類Ｐの上部は図示しない押圧体により下方へ向けて所定の圧力で押圧される。したがってこの実施形態では最下位の紙葉類が最前位の紙葉類となる。
【００１５】
前記紙葉類集積部１の底部１ａの一側端には紙葉類Ｐの繰り出し口２が開口されており、この繰り出し口２の上縁および下縁から紙葉類Ｐを後流側へ誘導するガイド部材３，４が連設され、これらガイド部材３，４間が紙葉類通路５とされている。
【００１６】
この紙葉類通路５は、前記繰り出し口２から略水平方向に延び、そこから弧状に屈曲して下方へ垂直に延びており、この垂直部５ａの末端外に引き抜きローラ６，７が対をなして配設されている。
【００１７】
前記紙葉類通路５の屈曲部位には図３、図４にみられるように左右一対のフィードローラ８，８がその外周が当該通路５内の中央部に位置するように軸９により支持して設けられている。またこのフィードローラ８の直上位置にはゲート部材としての逆転ローラ１０が対設され、この逆転ローラ１０の周面とフィードローラ８の周面との間で前記繰り出し口２の直後において１枚の紙葉類Ｐのみの通過を許容するゲート部Ｇを構成している。
【００１８】
前記フィードローラ８は周方向に複数条（図では２条）の溝８ａ，８ａを有し、前記逆転ローラ１０は前記フィードローラ８の溝８ａ，８ａに対応する突条１０ａ，１０ａを有しており、これら溝８ａ，８ａと突条１０ａ，１０ａの各エッジ部分でゲート部Ｇが形成されていて、このエッジ部間を通過する際に紙葉類Ｐにひだが形成されて剛性を生じ、直進性が与えられて良好な分離がなされる。
【００１９】
前記フィードローラ８，８の外周の一部には高摩擦部１１，１１が形成されており、他の外周面は滑面とされている。またフィードローラ８，８の配列軸方向外側部には該フィードローラ８，８と同径の搬送用ローラ１２，１２が設けられ、この搬送用ローラ１２，１２の外周には、前記フィードローラ８，８の高摩擦部１１，１１と回転方向前端が一致した位置から略３／４周の範囲にわたって高摩擦１３，１３が形成されており、他は滑面とされている。
【００２０】
前記フィードローラ８，８の後部位置には、図７に示すように複数（図では片側３個ずつの計６個）のキッカローラ１４，１４…が軸１５により支持されている。
【００２１】
このキッカローラ１４は、図１、図２にみられるようにその外周の一部が径小部１４ａ（Ｄカット）とされ、残る外周面は高摩擦面を有する径大部１４ｂとされており、この径大部１４ｂの回転方向前端側が境界部１４ｃとされている。
【００２２】
図１、図２に示す実施形態におけるキッカローラ１４は、直径線上対称位置に２つの径小部１４ａ，１４ａを有し、これにより２つの境界部１４ｃ，１４ｃが形成されており、これら境界部１４ｃ，１４ｃによりフィードローラ８の１回転ごとにキッカローラ１４の境界部１４ｃ，１４ｃが交互に作用するようになっている。したがってこのキッカローラ１４の径はフィードローラ８の径に対し２：３とされている。
【００２３】
上記キッカローラ１４の近傍位置の上部には押圧部材１６が前記底板１ａを貫通して紙葉類集積部１内に進退自在に設けられている。この押圧部材１６は、キッカローラ１４の上端部を基準として上下方向可動とされるもので、進出時には紙葉類集積部１内の紙葉類Ｐの最前位の紙葉類を押圧してキッカローラ１４との接触を断ち、退去時には最前位の紙葉類をキッカローラ１４に接触させるよう進退切換え手段１７により切り換えられるようになっている。
【００２４】
上記押圧部材１６は、図７、図８にみられるようにキッカローラ１４，１４…列の各間および外端位置に設けられており、その形状はキッカローラ１４の軸１５を跨ぐように側面視略逆Ｕ字状をなし、その一端が軸１８により枢支され、他端にはカムフオロワ１９が軸着されていてカム２０のカム面に図示しないバネによる付勢を受けて当接されている。
【００２５】
このカム２０は略半周が大径部２０ａとされ、他の半周が小径部２０ｂとされていて、前記カムフオロワ１９がカム２０の小径部２０ｂに位置するとき押圧部材１６が軸１８を支点に下方へ回動して退去位置をとり、カムフオロワ１９が大径部２０ａに位置するとき押圧部材１６は軸１８を支点に上方へ回動して進出位置をとるよう切り換えられるようになっている。なおこの進退切り換え手段１７に関しては、カム２０によるものに限られることなく、他の機構により押圧部材１６を進退させるものであってもよい。
【００２６】
前記フィードローラ８，キッカローラ１４，押圧部材１６の作動タイミングは、最前位の紙葉類Ｐに対しフィードローラ８の高摩擦部１１が接触する繰り出し開始タイミングから少なくとも繰り出された紙葉類の先端が下流の搬送手段（搬送ローラ１２と搬送用ピンチローラ２９による搬送部）に受け渡されるまでの間押圧部材を退去させておき、かつ少なくとも繰り出された紙葉類の後端がキッカローラ１４を通過してから繰り出し開始タイミングまでの間押圧部材１６を進出させておくように設定される。
【００２７】
またフィードローラ８の高摩擦部１１が紙葉類に接する繰り出しタイミングにおいてキッカローラ１４の境界部１４ｃが上記紙葉類Ｐを蹴り出すタイミングとされている。
【００２８】
前記押圧部材１６の前記カムフオロワ１９の直上位置、すなわち紙葉類集積部１に対しては後方位置のキッカローラ１４，１４…間はピン状の折れ癖紙葉類対応部材２１で連結されている。
【００２９】
この折れ癖紙葉類対応用部材２１は、図７、図８に示すように紙葉類Ｐに腰の強い折れ目Ｐａが丁度キッカローラ１４，１４…の位置にあると、その折れ目Ｐａが非蹴り出し状態にあるキッカローラ１４，１４…に当接して蹴り出されてしまうことを防ぐためのものである。
【００３０】
前記紙葉類通路５の垂直部５ａのフィードローラ８側で、フィードローラ８，８間およびその外側にそれぞれピンチローラ２２が軸２３により位置固定に設けられ、このピンチローラ２２と対応してストッパ２４が軸２５により揺動自在に支持されている。
【００３１】
上記ストッパ２４はピンチローラ２２側の一側面２４ａが略直状をなし、ピンチローラ２２側へ揺動したときその一側面２４ａの先端がピンチローラ２２の周面に当接して紙葉類Ｐの進行を一且阻止するようになっている。
【００３２】
このストッパ２４の揺動は、前記フィードローラ８の回転に同期して行われるようになっており、その揺動機構は次のように構成されている。すなわち前記フィードローラ８の軸９に一端が固定されたアーム２６と、前記ストッパ２４の軸２５に一端が固定されたアーム２７との各先端間がレバー２８により連結され、フィードローラ８の高摩擦部１１で紙葉類Ｐが紙葉類通路５へ送り出されてその先端がストッパ２４の位置に到達する直前にストッパ２４が図１において左方へ揺動し、その一側面２４ａの先端とピンチローラ２２とが当接して紙葉類Ｐの進行を阻止するように構成されている。
【００３３】
一方、前記紙葉類通路５のガイド部材３の外部には、前記ゲート部Ｇの直後位置において搬送ローラ１２の外周面に当接する搬送用ピンチローラ２９を揺動的に支持する支持アーム３０の基部が軸３１により枢支されており、また前記軸３１には前記支持アーム３０とは反対方向に延びる作動アーム３２の基部が枢支され、この作動アーム３２の先端にはカムフオロワ３３が軸着されていて、前記ストッパ２４の軸２５上のカム３４のカム面に当接されるようになっている。
【００３４】
そして前記支持アーム３０と作動アーム３２に跨ってバネ３５が掛けられていて、搬送用ピンチローラ２９はフィードローラ８と同軸上の搬送用ローラ１２に、カムフオロワ３３はカム３４にそれぞれ前記バネ３５の付勢力により常時当接状態におかれており、カムフオロワ３３がカム３４の大径部により押し出されたとき前記搬送用ピンチローラ２９の搬送用ローラ１２への当接力Ｗが強められ、カムフオロワ３３がカム３４の小径部に至ったとき搬送用ピンチローラ２９の搬送用ローラ１２への当接力ｗが弱められるようになっている。
【００３５】
そのタイミングは、ストッパ２４がピンチローラ２２から離反してストップ機能を果していないとき（図１の状態）カムフオロワ３３がカム３４の大径部に位置してカムフオロワ３３を押し出し、これによりバネ３５の付勢力が増大して搬送用ピンチローラ２９が搬送用ローラ１２に強い力Ｗで当接し、逆にストップ機能を果たしているとき（図２の状態）にはカムフオロワ３３がカム３４の小径部に位置してバネ３５による付勢力が弱められ、搬送用ピンチローラ２９の搬送用ローラ１２への当接力ｗ（搬送力）が弱められるようになる。
【００３６】
これは、繰り出される紙葉類Ｐが斜め繰り出し（斜行）状態となったとき、紙葉類Ｐの先行する側の先端がストッパ２４に当たって停められた後、搬送用ピンチローラ２９による搬送力を弱めて紙葉類Ｐの遅れている側を弱い搬送力で送り、これによりストッパ２４の位置で紙葉類Ｐの先端が真直に揃えられる機能を持たせるためである。
【００３７】
なお、図１、図２において符号１４’は、キッカローラの径大部１４ｂと径小部１４ａとの境界部１４ｃを周方向にずらせて配設した補助キッカローラを示している。
【００３８】
前記紙葉類集積部１内の後端位置には、集積紙葉類Ｐの下層の後端が載置される前方に向け下り傾斜した傾斜部３６が形成されており、紙葉類集積部１内に紙葉類を集積状態に装填したとき下層の紙葉類Ｐの後端が刺身状になって前方へずらされ、繰り出し時の１枚分離が行われやすくされている。
【００３９】
本発明においては上記傾斜部３６の下部に空間部３７が形成され、繰り出し不良時にその紙葉類Ｐ’を引き戻す際に集積紙葉類Ｐの下にではなくこの空間部３７内へ引き戻されるようになされている。したがって引き戻される紙葉類Ｐ’が集積紙葉類Ｐに干渉することなくスムーズに戻される。
【００４０】
次に作用を説明する。
【００４１】
図５は本発明の繰り出し原理を示す説明図で、ここではキッカローラ１４の径小部１４ａ（Ｄカット）を１箇所とし、円周長がフィードローラ８に対し１：２である。
【００４２】
紙葉類集積部１内に紙葉類Ｐを垂積状態に装填し、装置を起動すると、キッカローラ１４、フィードローラ８をはじめ、駆動される各ローラは矢印方向へ回転し、キッカローラ１４の矢印方向への回動によりその境界部１４ｃで最前位の紙葉類Ｐが蹴り出される（図５（Ａ））。
【００４３】
蹴り出された紙葉類Ｐはゲート部Ｇにより１枚のみに分離され、２枚目以上の紙葉類Ｐは逆転ローラ１０の回転により留めおかれる。こうして繰り出された紙葉類Ｐは、キッカローラ１４の径大部１４ｂとフィードローラ８および搬送用ローラ１２の高摩擦部１１，１３とで送り出されてゲート部Ｇを通過し、紙葉類通路５へ送り出される（図５（Ｂ））。
【００４４】
その紙葉類Ｐの繰り出し方向後端がキッカローラ１４の径大部１４ｂを過ぎると、押圧部材１６が上昇して次位の紙葉類Ｐを押し上げ、２枚目の紙葉類Ｐの連れ出しを防ぐ（図５（Ｃ））。
【００４５】
図６は、キッカローラ１４の外周に２つの径小部１４ａ，１４ａを形成した場合で、その円周長がフィードローラ８に対し２：３である。
【００４６】
この場合は、キッカローラ１４の１回転ごとにキッカローラ１４の径大部１４ｂと径小部１４ａとの境界であるキック力の強いところを交互に作用させることができる。
【００４７】
次に図１、図２により上記図５に示した実施形態の具体的動作について説明する。
【００４８】
図１の状態からキッカローラ１４の境界部１４ｃにより最前位の紙葉類Ｐが蹴り出されると、その紙葉類Ｐはゲート部Ｇにより１枚のみに分離されて通過し、紙葉類通路５へ送り出される。
【００４９】
キッカローラ１４の径大部１４ｂがその紙葉類Ｐの下面から離間する時期に至る直前に押圧部材１６のカムフオロワ１９がカム２０の大径部２０ａに至り、これにより押圧部材１６が軸１８を支点に上方へ回動して紙葉類集積部１内の集積紙葉類Ｐを押し上げ、キッカローラ１４に非接触とする。
【００５０】
一方、フィードローラ８の回転が進むにつれてフィードローラ８の軸９上のアーム２６が図１において時計方向に回動し、これによりレバー２８，アーム２７を介してストッパ２４が同図において時計方向に揺動する。
【００５１】
前記のように繰り出された紙葉類Ｐの繰り出し方向先端が紙葉類通路５の垂直部５ａに進入してストッパ２４の位置に到達する時期にはストッパ２４の一側面２４ａの先端がピンチローラ２２の周面に当接し、紙葉類Ｐの進行を阻止する。したがって紙葉類Ｐが斜め姿勢となって繰り出されたとしても、その先行端が最先にストッパ２４に当たって待たされる（図２の状態）。
【００５２】
これと同時にストッパ２４の軸２５上のカム３４も同方向に回動してカムフオロワ３３がカム３４の小径部にくるので、カムフオロワ３３の作動アーム３２とは反対側の支持アーム３０に軸支されている搬送用ピンチローラ２９が搬送用ローラ１２にバネ３５のバネ力が弱まった弱い力ｗで押し付けられ、紙葉類Ｐが斜行繰り出しされた場合にこの搬送用ピンチローラ２９による弱い搬送力で紙葉類Ｐの遅れ側を搬送し、これにより紙葉類Ｐの先端がストッパ２４の位置に当接している側では滑りが生じて傾斜状態の姿勢が整えられる。
【００５３】
この時期に至ると、フィードローラ８の軸９上のアーム２６は水平状態を過ぎて下方へ回動するのでレバー２８が引かれ、これによりストッパ２４の一側部２４ａはピンチローラ２２から離反する。その結果紙葉類Ｐはピンチローラ２２とストッパ２４との間を通過して紙葉類通路５の末端から送り出され、引き抜きローラ６，７間に受け渡される。この引き抜きローラ６，７は高速回転しているので紙葉類Ｐは引き抜かれて次工程へ送られる。このとき、搬送用ピンチローラ２９に当接する搬送ローラ１２は滑面がきており、紙葉類Ｐを高速で引き抜いても滑りが生じてスムーズに引き抜かれる。
【００５４】
上記の作用を繰り返すことにより紙葉類集積部１内の紙葉類Ｐを１枚ずつ確実に繰り出すことができる。
【００５５】
キッカローラ１４の径大部１４ｂと径小部１４ａとの位相が異なる補助キッカローラ１４’を設けた場合には、境界部１４ｃが先行するキッカローラ１４が最前位の紙葉類Ｐを蹴り出さなかった空振り時に、このキッカローラ１４の境界部１４ｃに続いて補助キッカローラ１４’の境界部１４’ｃが最前位の紙葉類Ｐを直ちに蹴り出すことになり、したがって蹴り出し不良に伴う蹴り出し欠落による不連続繰り出し現象を皆無とすることができる。
【００５６】
上記紙葉類Ｐの繰り出し時には、搬送用ピンチローラ２９の押しつけ力の２段変化と、ピンチローラ２９が当接する搬送用ローラ１２の外周面の材質の違いによる搬送力の変化とで３段階の搬送力が得られ、紙葉類Ｐの繰り出し初期から終期にかけての最適な搬送力が与えられる。
【００５７】
紙葉類Ｐの繰り出し不良が発生したときは、搬送用ローラ１２を含むフィードローラ８、キッカローラ１４を逆転させてその紙葉類Ｐ’を一且引き戻すが、この引き戻し時における紙葉類Ｐ’は集積紙葉類Ｐの下へは入らず、傾斜部３６の下部の空間部３７内に引き戻される。これにより引き戻される紙葉類Ｐ’と集積紙葉類Ｐとが干渉を起こすことがなく、紙葉類集積部１内でのジャムの発生が防がれ、再繰り出しもスムーズに行うことができる。
【００５８】
集積紙葉類Ｐに腰の強い折れ目Ｐａがあってその折れ目Ｐａが下方に突出していたりすると、非繰り出し時に押圧部材１６が集積紙葉類Ｐを押し上げていても、前記折れ目Ｐａがキッカローラ１４に接して繰り出されてしまうおそれがある。しかしこのような折れ目Ｐａは押圧部材１６の上昇時にこれと共に上昇する折れ癖紙葉類対応用部材２１がその折れ目Ｐａを上方へ押しやるのでキッカローラ１４に接することがなく、折れ目付きの紙葉類を繰り出してしまうことが防がれる。
【００５９】
【発明の効果】
以上説明したように本発明によれば、キッカローラの径を小さくしてフィードローラに近接配置させ、キッカローラを必要なときだけ紙葉類に接触させるようにしても、集積紙葉類の最前位の紙葉類を所定の繰り出しタイミングで確実にグリップして繰り出すことができる。特にキッカローラとフィードローラとの距離を短くできるので、紙葉類が腰の弱い流通紙幣のようなものであっても蹴り出し時に座屈を起こすことなく確実に繰り出しを行わせることができ、しかも、紙葉類間の摩擦力にばらつきのある紙葉類であっても所定の繰り出しタイミングで確実な繰り出しを行うことができる。
【００６０】
請求項２に記載の発明によれば、上記効果に加えフィードローラの１回転毎にキッカローラの境界部を交互に作用させることができ、キッカローラの径を適度な大きさに設定することができる。
【００６１】
請求項３に記載の発明によれば、先行するキッカローラによる蹴り出しが空振りに終ってもその直後に後行のキッカローラの境界部で蹴り出しが行われ、蹴り出しミスの発生を皆無とすることができ、紙葉類の繰り出しを一層確実に行わせることができる。
【００６２】
請求項４に記載の発明によれば、紙葉類に強い折れ目があってもその折れ目部分がキッカローラに接触して繰り出されてしまう重複繰り出しを阻止することができ、重複乃至連鎖繰り出しを未然に防止することができる。
【００６３】
請求項５に記載の発明によれば、繰り出し不良の発生時にその紙葉類を一且引き戻す際にスムーズに戻すことができ、引き戻し時にジャムを起こすことを解消することができる。
【図面の簡単な説明】
【図１】本発明による紙葉類繰り出し装置の一実施形態の紙葉類繰り出し前の状態を示す側面図。
【図２】同、繰り出し後ストッパが作動した状態を示す側面図。
【図３】図１における各ローラの配置関係を示す正面図。
【図４】同、斜視図。
【図５】（Ａ）〜（Ｃ）は本発明の作動原理を示す説明図。
【図６】（Ａ），（Ｂ）はキッカローラに２つの径小部を設けた場合の作動説明図。
【図７】図１における押圧部材および折れ癖および紙葉類対応用ピンの配置関係を示す平面図。
【図８】同、正面図。
【符号の説明】
１  紙葉類集積部
５  紙葉類通路
６，７  引き抜きローラ
８  フィードローラ
１０  逆転ローラ（ゲート部材）
１２  搬送用ローラ
１４  キッカローラ
１４Ｃ  境界部
１６  押圧部材
１７  進退切換え手段
２１  折れ癖紙葉類対応用部材
２２  ピンチローラ
２４  ストッパ
２９  搬送用ピンチローラ
３６  傾斜部
３７  繰り出し不良紙葉類後退用空間部
【図１】
0003866090.tif 000002
【図２】
0003866090.tif 000003
【図３】
0003866090.tif 000004
【図４】
0003866090.tif 000005
【図５】
0003866090.tif 000006
【図６】
0003866090.tif 000007
【図７】
0003866090.tif 000008
【図８】
0003866090.tif 000009